(57)【特許請求の範囲】
【請求項１】
電子回路部品が組み込まれた内器を引き出し可能にケースに収納するように構成された電子機器であって、
前記内器の側面に形成されたラッチ片と、前記内器を挿入したとき前記内器のラッチ片が相互に嵌め合うように前記ケースの側面の開口部近傍に形成された切り抜き穴とで構成され、
前記ラッチ片にはコ字形の突起体が設けられてこの突起体のコ字形の開口部は前記ケースの開口部と対向するように形成されるとともに前記コ字形の突起体の平行辺には前記内器の内壁面を摺動する傾斜面が設けられ、
前記切り抜き穴にはコ字形状の切り抜き穴により３辺が切り抜かれた切り出し部が設けられ、
前記ラッチ片の突起体が前記切り抜き穴に嵌め合うことにより係合部が形成され、この係合部において、前記突起体の外面と前記切り抜き穴の内面が対向するとともに前記突起体の内面と前記切り出し部の端面が対向し、前記内器の挿入方向および引き出し方向それぞれに対して前記ケースとの位置を規制することを特徴とする電子機器。
【発明の詳細な説明】
【技術分野】
【０００１】
本発明は、電子機器に関し、詳しくは、電子回路部品が組み込まれた内器を引き出し可能にケースに収納するように構成された電子機器の内器とケースとの係合に関するものである。
【背景技術】
【０００２】
温度調節計や電力監視計などの工業用計器としての電子機器には、電子回路部品が組み込まれた内器を引き出し可能にケースに収納するように構成されたものがある(特許文献１参照)。
【０００３】
このような電子機器では、内器をケース内に収納するように挿入したとき、内器がケース内に設計に基づき予め設定された所定の位置で停止し、ケースと着脱可能に係合する必要がある。
【０００４】
図４は従来の内器引き出し形の電子機器の一例を示す構成図であり、(ａ)は平面図、(ｂ)は側面図である。内器１０は図示しない電子回路部品が組み込まれたものであって、この内器１０の両側には側板１１，１２が設けられている。これら側板１１，１２のほぼ中央部分には、ラッチ片１３，１４が設けられている。これらラッチ片１３，１４は、側板１１，１２の厚さ方向に変位可能なように３辺をコ字形に切り抜くことにより形成されている。さらにこれらラッチ片１３，１４のケース２０内壁との対向面のほぼ中央部分には、ケース２０の側面に設けられた係合穴２１，２２(２２は図示せず)に嵌め合うように突起体１５，１６が設けられている。突起体１５，１６のケース２０の開口部との対向面には、挿入方向に沿うように傾斜面が形成されている。
【０００５】
図５は図４のように構成された内器１０をケース２０に収納するように挿入したときの動作説明図である。(ａ)に示すように内器１０をケース２０に挿入することにより、ラッチ片１３の突起体１５の傾斜面がケース２０の開口部と接触する。内器１０をさらに挿入すると、(ｂ)に示すように突起体１５の傾斜面はケース２０の内壁を摺動し、ラッチ片１３は側板１１の厚さ方向に変位する。さらに内器１０を挿入すると、(ｃ)に示すように突起体１５がケース２０の側面に設けられた係合穴２１に嵌め合い、内器１０とケース２０は係合される。
【０００６】
【特許文献１】特開昭６０−２４６４０１
【０００７】
特許文献１の第４図には、係止片を係合穴に嵌め合わせることにより、内側ケースの前部開口に前部ケースを装着する構成が開示されている。
【発明の開示】
【発明が解決しようとする課題】
【０００８】
ところで、このような従来の構成における係止片と係合穴の嵌め合わせよりなる係合部のみでは、ケース内における内器の収納位置が、設計で想定した場合よりも奥になる可能性がある。そこで、ケース内における内器の収納位置が設計で想定した場合よりも奥に入り込まないように、係合部以外の部位にストッパーを設けることが行われている。
【０００９】
しかし、係合部以外の部位にストッパーを設けることは、部品点数や組み立て工数の増加を避けられず、ストッパーを設けるためのスペースも必要になるという問題がある。
【００１０】
本発明は、このような従来の問題点に着目したものであり、その目的は、係合部のみの簡単な構成でケース内における内器の収納位置を設計で想定した所定の位置に設定できる電子機器を提供することにある。
【課題を解決するための手段】
【００１１】
このような課題を達成するために、請求項１の発明は、
電子回路部品が組み込まれた内器を引き出し可能にケースに収納するように構成された電子機器であって、
前記内器の側面に形成されたラッチ片と、前記内器を挿入したとき前記内器のラッチ片が相互に嵌め合うように前記ケースの側面の開口部近傍に形成された切り抜き穴とで構成され、
前記ラッチ片にはコ字形の突起体が設けられてこの突起体のコ字形の開口部は前記ケースの開口部と対向するように形成されるとともに前記コ字形の突起体の平行辺には前記内器の内壁面を摺動する傾斜面が設けられ、
前記切り抜き穴にはコ字形状の切り抜き穴により３辺が切り抜かれた切り出し部が設けられ、
前記ラッチ片の突起体が前記切り抜き穴に嵌め合うことにより係合部が形成され、この係合部において、前記突起体の外面と前記切り抜き穴の内面が対向するとともに前記突起体の内面と前記切り出し部の端面が対向し、前記内器の挿入方向および引き出し方向それぞれに対して前記ケースとの位置を規制することを特徴とする。
【発明の効果】
【００１５】
これらにより、係合部のみの簡単な構成でケース内における内器の収納位置を設計で想定した所定の位置に規制できる電子機器が実現できる。
【発明を実施するための最良の形態】
【００１６】
以下、本発明について、図１を用いて説明する。図１は本発明の一実施例を示す斜視図であり、内器引き出し形電子機器の具体例を示している。図１において、内器３０はケース４０の内部に引き出し可能に収納固定される。
【００１７】
内器３０は、端子板や複数の電子部品が実装された複数のプリント配線板を含む構成部品をプリント配線板保持部材３１に取り付けることにより、構成されている。プリント配線板保持部材３１の外周には、主平面に対して垂直な面になるように挿入方向へＬ字形に形成された複数のラッチ片が一体化されていて、図１では一方の側面として設けられたラッチ片３２のみを示している。
【００１８】
ラッチ片３２には、平面形状がコ字形の突起体３３が、コ字形の開口部がケース４０の開口部と対向するように、設けられている。
【００１９】
ケース４０はほぼ円筒の多角形筒状に形成されていて、開口部には正方形のフランジ部４１が一体化されている。これは、既存のパネルに取り付けられている計器のケース外形が円筒形であっても、パネルの取り付け穴をそのまま利用して取り替えられるように考慮していることに基づく。ケース４０の側面の開口部近傍には、コ字形の開口部が内器３０の挿入方向に開口してラッチ片３２のコ字形の突起体３３が嵌め合うようにコ字形状の切り抜き穴４２により３辺が切り抜かれた切り出し部４３が設けられている。
【００２０】
内器３０をケース４０に挿入することにより、内器３０のラッチ片３２のコ字形の突起体３３がケース４０のコ字形状に３辺が切り抜かれた切り抜き穴４２に嵌め合い、内器３０とケース４０を係合固定する係合部を構成し、内器３０がケース４０内に設計に基づき予め設定された所定の位置関係を保った状態で固定される。図１の実施例では、内器３０がケース４０内に所定の位置関係を保った状態で固定されることにより、内器３０のプリント配線板の端部に実装されている端子板がケース４０の背面から露出する。
【００２１】
図２は図１の主要部分の拡大構成図であり、(ａ)は内器３０のラッチ片３２のコ字形の突起体３３の平面図、(ｂ)は(ａ)のＡ−Ａ’断面図、(ｃ)はケース４０の側面がコ字形状の切り抜き穴４２により３辺が切り抜かれた切り出し部４３の平面図、(ｄ)は(ｂ)のＢ−Ｂ’断面図である。ラッチ片３２のコ字形の突起体３３には、挿入方向に沿うように傾斜面３４が形成されている。
【００２２】
図３は図２のように構成された内器３０をケース４０に収納するように挿入したときの動作説明図である。(ａ)に示すように内器３０をケース４０に挿入することにより、ラッチ片３２の突起体３３の傾斜面３４がケース４０の開口部と接触する。内器３０をさらに挿入すると、(ｂ)に示すように突起体３３の傾斜面３４はケース４０の内壁面を摺動し、ラッチ片３２は厚さ方向に変位する。さらに内器３０を挿入すると、(ｃ)に示すようにラッチ片３２の弾性によって突起体３３がケース４０の側面に設けられた切り抜き穴４２に嵌め合い、内器３０とケース４０は係合される。(ｄ)は係合状態を示す平面図である。
【００２３】
(ｃ)に示すようにラッチ片３２の突起体３３が切り抜き穴４２に嵌め合った状態において、ケース４０から内器３０を引き出そうとすると、ラッチ片３２の突起体３３の外面３５と切り抜き穴４２の内面４４がぶつかることになり、内器３０がケース４０から抜け出さないように規制される。
【００２４】
逆に内器３０をさらケース４０の奥へ押し込もうとする力が働くと、ラッチ片３２の突起体３３の内面３６と切り抜き穴４２により切り出された切り出し部４３の端面４５がぶつかることになり、内器３０がケース４０の奥へ押し込まれないように規制される。なお切り抜き穴４２のコ字形の上下辺部分は、コ字形ラッチ片３２の突起体３３の傾斜面３４が嵌め合うための逃げスペースである。
【００２５】
このように構成することにより、内器３０のラッチ片３２のコ字形の突起体３３と、ケース４０のコ字形状の切り抜き穴４２により３辺が切り抜かれた切り出し部４３とで構成される係合部のみで、他にストッパーなどの機構を設けることなく、ケース内における内器の収納位置を設計で想定した所定の位置に設定できる電子機器を実現できる。
【００２６】
なお、上記実施例では、係合部を構成する内器３０のラッチ片３２の突起体３３およびケース４０の切り抜き穴４２がコ字形の例を説明したが、Ｔ字形やＵ字形などであってもよい。
【００２７】
また、係合部は対象とする電子機器の大きさによっては必ずしも複数個設けなくてもよく、小型の電子機器の場合には少なくとも１個設ければよい。
【００２８】
以上説明したように、本発明によれば、温度調節計や電力監視計などの工業計器をはじめとする内器引き出し形の各種電子機器において、内器をケース内に収納するように挿入するのにあたり、内器を設計に基づき予め設定されたケース内の所定位置で停止させることができ、内器をケースと着脱可能に係合させるのに好適である。
【図面の簡単な説明】
【００２９】
【図１】発明の一実施例を示す斜視図である。
【図２】図１の主要部分の拡大構成図である。
【図３】図２の構成の動作説明図である。
【図４】従来の内器引き出し形の電子機器の一例を示す構成図である。
【図５】図４の構成の動作説明図である。
【符号の説明】
【００３０】
３０  内器
３１  プリント配線板保持部材
３２  ラッチ片
３３  突起体(平面形状コ字形)
３４  傾斜面
３５  外面
４０  ケース
４１  フランジ部(正方形)
４２  切り抜き穴(コ字形)
４３  切り出し部
４４  内面
４５  端面
【図１】
0004687407.tif 000002
【図２】
0004687407.tif 000003
【図３】
0004687407.tif 000004
【図４】
0004687407.tif 000005
【図５】
0004687407.tif 000006